(57)【要約】【課題】医師の撮影指示のもとに被写体である患者を撮影する際、患部の状態に基づく情報を医師へフィードバックする。【解決手段】撮影装置１３０は、被写体の撮影部位を含む撮影指示を取得し、被写体を示す情報とともに撮影部位を表示部１３５で表示する。次に、撮影装置１３０は、表示部１３５において被写体を示す情報及び撮影部位を表示した状態で、撮影命令を受け付ける。次に、撮影装置１３０の撮影部１３４は、撮影命令を受け付けることに応じて、被写体の撮影処理を行う。次に、撮影装置１３０は、撮影部１３４により撮影された被写体の患部の状態に基づく情報を、撮影処理により生成される画像データに付与する。【選択図】図１
2014144215.tif 000002
【特許請求の範囲】
【請求項１】
被写体の撮影部位を含む撮影指示を取得する取得手段と、
前記被写体を示す情報とともに前記撮影部位を表示する表示手段と、
前記表示手段において前記被写体を示す情報及び前記撮影部位を表示した状態で、撮影命令を受け付ける受付手段と、
前記受付手段により撮影命令が受け付けられることに応じて、前記被写体の撮影処理を行う撮影手段と、
前記撮影手段により撮影された前記被写体の患部の状態に基づく情報を、前記撮影処理により生成される画像データに付与する付与手段とを有することを特徴とする撮影装置。
【請求項２】
前記被写体は、人体であり、前記被写体の患部の状態に基づく情報は、患者の主訴、撮影者所見、前回診察時との患部の差分、患部の程度、及び、治療方法のうちの少なくとも何れか一つを含むことを特徴とする請求項１に記載の撮影装置。
【請求項３】
前記表示手段は、前記被写体を示す情報として人体図を表示し、前記人体図上に前記撮影部位を表示することを特徴とする請求項１又は２に記載の撮影装置。
【請求項４】
前記表示手段は、前記撮影指示に含まれる、撮影枚数、撮影角度及び撮影体位のうちの少なくとも何れか一つを表示することを特徴とする請求項１乃至３の何れか１項に記載の撮影装置。
【請求項５】
請求項１乃至４の何れか１項に記載の撮影装置と、情報処理装置とを有する撮影処理システムであって、
前記情報処理装置は、
前記撮影指示を入力する入力手段と、
前記入力手段により入力された前記撮影指示を送信する送信手段と、
前記被写体の患部の状態に基づく情報が付与された前記画像データを受信する受信手段と、
前記被写体の患部の状態に基づく情報に応じた表示態様で、前記画像データ又は前記画像データに係る情報を表示部において表示させる表示制御手段とを有することを特徴とする撮影処理システム。
【請求項６】
前記情報処理装置は、
前記被写体の患部の状態に基づく情報に応じた優先度を決定する決定手段を更に有し、
前記表示制御手段は、前記決定手段により決定された優先度に応じた表示態様で、前記画像データ又は前記画像データに係る情報を前記表示部において表示させることを特徴とする請求項５に記載の撮影処理システム。
【請求項７】
前記決定手段により決定された優先度に応じた表示態様には、ポップアップの表示の有無、サムネイル画像データの表示の有無、及び、前記画像データ又は前記画像データに係る情報の表示順序のうちの少なくとも何れか一つを含むことを特徴とする請求項６に記載の撮影処理システム。
【請求項８】
撮影装置の制御方法であって、
被写体の撮影部位を含む撮影指示を取得する取得ステップと、
前記被写体を示す情報とともに前記撮影部位を表示する表示ステップと、
前記被写体を示す情報及び前記撮影部位を表示した状態で、撮影命令を受け付ける受付ステップと、
前記受付ステップにより撮影命令が受け付けられることに応じて、前記被写体の撮影処理を行う撮影ステップと、
前記撮影ステップにより撮影された前記被写体の患部の状態に基づく情報を、前記撮影処理により生成される画像データに付与する付与ステップとを有することを特徴とする撮影装置の制御方法。
【請求項９】
撮影装置を制御するコンピュータに実行させるためのプログラムであって、
被写体の撮影部位を含む撮影指示を取得する取得ステップと、
前記被写体を示す情報とともに前記撮影部位を表示する表示ステップと、
前記被写体を示す情報及び前記撮影部位を表示した状態で、撮影命令を受け付ける受付ステップと、
前記受付ステップにより撮影命令が受け付けられることに応じて、前記被写体の撮影処理を行う撮影ステップと、
前記撮影ステップにより撮影された前記被写体の患部の状態に基づく情報を、前記撮影処理により生成される画像データに付与する付与ステップとをコンピュータに実行さるためのプログラム。
【発明の詳細な説明】
【技術分野】
【０００１】
本発明は、医師の撮影指示のもとに被写体である患者を撮影するための技術に関するものである。
【背景技術】
【０００２】
近年、病院等の医療機関において情報化が進み、患者の診断情報を管理する電子カルテを導入する機関が増えている。電子カルテ上では、患者の診断履歴情報、投薬情報、手術情報、患部画像データ及びＸ線画像データ等が一元管理され、データ（情報）の共有や再利用が簡単にできるようになってきている。また、近年のストレージの大容量化によって、患部等の画像データを大量に撮影して電子カルテに格納できるようになった。
【０００３】
このような環境の中で、デジタルカメラを利用して患者を撮影し、撮影した画像データを診療の記録として電子カルテに格納するような利用法が頻繁に活用されている。特に、皮膚科、外科又は介護の現場では、患者の傷口、手術痕又は褥瘡（床ずれ）を定期的にデジタルカメラで撮影し、患部の経時変化を観察することが行われている。
【０００４】
このようなデジタルカメラの利用シーンでは、必ずしも診察した医師が撮影するとは限らない。医師の指示のもとに、院内の撮影スタッフ或いは看護師、又は、院外の訪問看護師等が撮影する場合がある。この場合、医師が対象患者の名前及びＩＤ等の基本情報に加え、撮影部位及び撮影枚数等を含む撮影指示を発行し、撮影者が医師の指示を確認しながら撮影する必要がある。
【０００５】
このような利用シーンに対し、特許文献１には、医師の撮影オーダ発行の際に患者の３次元画像データを画面に表示し、医師が３次元画像データ上の撮影部位を直接指定することによりオーダが発行される技術が開示されている。
【０００６】
また、特許文献２には、デジタルカメラで撮影された患部の画像データを、通信ネットワークを経由して送信し、患部の画像データの内容によって、蓄積された皮膚疾患のデータから対応する疾患名を予測し、対処方法を出力する技術が開示されている。
【先行技術文献】
【特許文献】
【０００７】
【特許文献１】特開２００１−６０２３９号公報
【特許文献２】特開２００５−５８３９８号公報
【発明の概要】
【発明が解決しようとする課題】
【０００８】
しかしながら、上記特許文献１では、医師の撮影オーダ発行についてのみ言及されており、撮影者が撮影オーダを確認しながらどのように撮影するのかについては言及されていない。また、訪問看護では、医師が撮影指示を出した時間と、撮影者である訪問看護師が現場で実際に患部を撮影する時間とにタイムラグがある。このため、医師により撮影指示が出された患部の急変や医師に指定された部位以外で発症が起きる可能性が高い。従って、撮影者は、その状況や緊急性を加味し、医師の指示以外での措置や患部情報を的確に医師へ申し送りしなければならない。しかしながら、上記特許文献２では、患部画像データと患者の主訴とから疾患名の予測をすることのみが言及されており、医師への患部情報のフィードバックについては言及されていない。
【０００９】
そこで、本発明の目的は、医師の撮影指示のもとに被写体である患者を撮影する際、患部の状態に基づく情報を医師へフィードバックすることにある。
【課題を解決するための手段】
【００１０】
本発明の撮影装置は、被写体の撮影部位を含む撮影指示を取得する取得手段と、前記被写体を示す情報とともに前記撮影部位を表示する表示手段と、前記表示手段において前記被写体を示す情報及び前記撮影部位を表示した状態で、撮影命令を受け付ける受付手段と、前記受付手段により撮影命令が受け付けられることに応じて、前記被写体の撮影処理を行う撮影手段と、前記撮影手段により撮影された前記被写体の患部の状態に基づく情報を、前記撮影処理により生成される画像データに付与する付与手段とを有することを特徴とする。
【発明の効果】
【００１１】
本発明によれば、医師の撮影指示のもとに被写体である患者を撮影する際、患部の状態に基づく情報を医師へフィードバックすることが可能となる。
【図面の簡単な説明】
【００１２】
【図１】本発明の実施形態に係る撮影処理システムの構成を示す図である。
【図２】本発明の実施形態に係る撮影処理システムにおける撮影処理を示すフローチャートである。
【図３】医師により入力される撮影指示の一例を示す図である。
【図４】図２のステップＳ１０２における撮影処理の詳細を示すフローチャートである。
【図５】図４のステップＳ１０２６で付与される撮影情報（メタデータ）の一例を示す図である。
【図６】患部情報を入力するためのユーザインタフェースの一例を示す図である。
【図７】図４のステップＳ１０２２において選択される参照図の一例を示す図である。
【図８】図４のステップＳ１０２２における参照図選択処理に使用されるテーブルを示す図である。
【図９】撮影部位の撮影画面の例を示す図である。
【図１０】図４のステップＳ１０２２における参照図選択処理の詳細を示すフローチャートである。
【図１１】図４のステップＳ１０２３において撮影指示に含まれる全ての撮影部位が表示されるユーザインタフェースの一例を示す図である。
【図１２】図４のステップＳ１０２４においてライブビュー画像データが表示されるユーザインタフェースの他の例を示す図である。
【図１３】閲覧優先度管理テーブルの例を示す図である。
【図１４】患者名一覧及び患者の詳細情報の表示例を示す図である。
【図１５】患者名一覧の表示例を示す図である。
【発明を実施するための形態】
【００１３】
以下、本発明を適用した好適な実施形態を、添付図面を参照しながら詳細に説明する。
【００１４】
先ず、本発明の第１の実施形態について説明する。第１の実施形態では、訪問看護師や介護士等の撮影者が、医師による撮影指示に基づいて、撮影装置であるデジタルカメラを用いて被写体である撮影対象患者を撮影する場合を想定している。
【００１５】
図１は、本発明の第１の実施形態に係る撮影処理システムの構成を示す図である。図１に示すように、第１の実施形態に係る撮影処理システム１００は、クライアント装置１１０、画像管理サーバ装置１２０、撮影装置１３０、有線ネットワーク１４０及び無線ネットワーク１５０を備える。ここで、クライアント装置１１０と画像管理サーバ装置１２０とは、有線ネットワーク１４０を介して接続されている。また、画像管理サーバ装置１２０と撮影装置１３０とは、無線ネットワーク１５０を介して接続されている。なお、クライアント装置１１０は、情報処理装置の例となる構成である。
【００１６】
クライアント装置１１０は、医師により利用される装置である。図１に示すように、クライアント装置１１０は、撮影指示入力部１１１、表示部１１２及び表示制御部１１３を備える。撮影指示入力部１１１は、医師による撮影指示を受け付ける。表示部１１２は、撮影画像データや患部情報を表示し、医師にこれらを閲覧させる。表示制御部１１３は、患者名の一覧表示や患者個人の画像データ表示順序を制御する。
【００１７】
画像管理サーバ装置１２０は、撮影画像データを管理する装置である。図１に示すように、画像管理サーバ装置１２０は、撮影指示格納部１２１、画像格納部１２２及び患部情報格納部１２３を備える。撮影指示格納部１２１は、クライアント装置１１０において受け付けられた医師による撮影指示を格納する。
【００１８】
画像格納部１２２は、撮影装置１３０で撮影された撮影画像データを格納する。患部情報格納部１２３は、撮影装置１３０で入力された患部情報を格納する。撮影装置１３０は、被写体である撮影対象患者を撮影する汎用デジタルカメラである。
【００１９】
図１に示すように、撮影装置１３０は、記憶部１３１、入力部１３２、撮影指示並び換え部１３３、撮影部１３４、表示部１３５及び情報格納制御部１３６を備える。記憶部１３１は、各種の情報、各種のデータ及び各種のテーブル等を記憶する。入力部１３２は、撮影者が患部情報等の情報や各種の指示等を入力する。撮影指示並び換え部１３３は、クライアント装置１１０において受け付けられ、撮影指示格納部１２１にて格納されている医師による撮影指示の並び換えを行う。撮影部１３４は、レンズ等の光学系を介して結像された被写体の光学像を電子的な撮像画像データに変換する撮像センサを備える。表示部１３５は、撮影部１３４の撮像センサにより得られるライブビュー画像データ及び撮影画像データを表示する液晶表示画面を備える。情報格納制御部１３６は、撮影部１３４で撮影された撮影画像データを画像管理サーバ装置１２０の画像格納部１２２に格納させるとともに、入力部１３２で入力された患部情報を画像管理サーバ装置１２０の患部情報格納部１２３に格納する。
【００２０】
図２は、本発明の第１の実施形態に係る撮影処理システム１００における撮影処理を示すフローチャートである。なお、図２に示す処理は、医師がクライアント装置１１０に対して撮影指示を行うことにより開始される処理である。また、図２に示す処理は、撮影処理システム１００における該当する装置内で、ＣＰＵがＨＤＤ等の記録媒体から必要なデータ及びプログラムを読み出して実行することにより、実現する処理である。
【００２１】
ステップＳ１０１において、クライアント装置１１０の撮影指示入力部１１１は、医師による撮影指示を受け付ける。そして、クライアント装置１１０は、有線ネットワーク１４０を介して、当該撮影指示を画像管理サーバ装置１２０に対して送信する。画像管理サーバ装置１２０は、画像管理サーバ装置１２０から受信した撮影指示を撮影指示格納部１２１に格納する。
【００２２】
ステップＳ１０２において、撮影装置１３０は、無線ネットワーク１５０を介して、画像管理サーバ装置１２０の撮影指示格納部１２１から撮影指示を読み込む（ロードする）。そして、撮影装置１３０は、撮影指示の並び換えを行った後、並び換え後の撮影指示を表示部１３５に表示する。その後、表示部１３５に表示された撮影指示に従って撮影者が撮影操作を行うと、撮影装置１３０は、撮影対象患者の撮影処理を行うことにより、撮影対象患者の撮影画像データを生成する。また、撮影者は入力部１３２より撮影対象患者の患部情報を入力する。撮影装置１３０は、撮影対象患者の撮影画像データ及び患部情報を、無線ネットワーク１５０を介して画像管理サーバ装置１２０に対して送信する。画像管理サーバ装置１２０は、撮影対象患者の撮影画像データ及び患部情報を撮影装置１３０から受信すると、撮影画像データを画像格納部１２２に格納するとともに、患部情報を患部情報格納部１２３に格納する。
【００２３】
ステップＳ１０３において、クライアント装置１１０は、画像管理サーバ装置１２０の画像格納部１２２に格納されている撮影画像データを取得するとともに、画像管理サーバ装置１２０の患部情報格納部１２３に格納されている患部情報を取得する。そして、クライアント装置１１０は、撮影画像データ及び患部情報を医師が閲覧できるように表示部１１２に表示する。
【００２４】
図３は、医師により入力される撮影指示の一例を示す図である。図３に示す例では、撮影指示３００には、患者名、患者ＩＤ、年齢及び性別等の撮影対象患者の患者基本情報と、指示医名、撮影方法、撮影体位、撮影部位（撮影患部）及び注意事項等の撮影情報とが含まれる。図３に示す例では、単純に撮影部位を複数列挙しているが、各撮影部位に対して、撮影枚数、撮影角度、撮影理由及び注意事項等を詳細に設定するようにしてもよい。
【００２５】
図４は、図２のステップＳ１０２における撮影処理の詳細を示すフローチャートである。なお、図４に示す処理は、撮影装置１３０内においてＣＰＵがＲＯＭ等の記録媒体から必要なデータ及びプログラムを実行することにより、実現する処理である。
【００２６】
ステップＳ１０２１において、撮影装置１３０は、無線ネットワーク１５０を介して、画像管理サーバ装置１２０の撮影指示格納部１２１に格納されている撮影指示を例えば記憶部１３１にロードする。ここで、画像管理サーバ装置１２０と撮影装置１３０とは、Ｂｌｕｅｔｏｏｔｈ（登録商標）に代表される短距離無線通信や赤外線通信等の無線ネットワーク１５０で接続されている。
【００２７】
ステップＳ１０２２において、撮影装置１３０は、ステップＳ１０２１でロードした撮影指示に含まれる撮影部位に基づいて、記憶部１３１に格納されているシェーマ（人体部分図）から、参照図としてのシェーマを選択する。なお、本実施形態では、参照図選択処理を撮影装置１３０で行うようにしているが、画像管理サーバ装置１２０が撮影指示に含まれる撮影部位に基づいて参照図としてのシェーマを選択し、撮影装置１３０は、選択された参照図を撮影指示の一部として画像管理サーバ装置１２０からロードするようにしてもよい。
【００２８】
ステップＳ１０２３において、撮影装置１３０は、撮影指示に含まれる撮影部位を表示部１３５に表示する。ここでは、例えば、ステップＳ１０２２で選択された参照図としてのシェーマ上に、撮影指示に含まれる撮影部位が重畳して表示される。
【００２９】
続いて、撮影者がステップＳ１０２２で表示された撮影部位から一つの撮影部位を選択すると、ステップＳ１０２４において、撮影装置１３０は、ステップＳ１０２１でロードした撮影指示を表示部１３５に表示する。ここでは、例えば、ライブビュー画像データに重畳して撮影指示が表示される。また、医師による撮影指示に含まれる撮影部位以外の部位に症例が見られる場合等、医師による撮影指示に含まれる撮影部位以外の部位を撮影する際、撮影者は、シェーマ上において撮影対象とする部位をクリックする。これにより、撮影装置１３０は、撮影対象の部位名を取得する。
【００３０】
続いて、撮影者は撮影ボタンを押下する。これにより、ステップＳ１０２５において、撮影装置１３０の撮影部１３４は、レンズから取り込んだ被写体（撮影対象患者）の光学像を電子的な撮影画像データに変換する撮影処理を行う。ステップＳ１０２６において、撮影装置１３０（例えば、撮影部１３４）は、ステップＳ１０２５の撮影処理で得られた撮影画像データに対し、撮影情報をメタデータとして付与する。本ステップで付与される撮影情報としては、撮影日時や撮影場所のような撮影時に得られる情報に加えて、撮影対象患者の患者基本情報、撮影部位等の撮影指示、及び、入力部１３２から入力される患部の状態に関する情報（患部情報）等が挙げられる。このように撮影画像データに撮影情報を付与することにより、例えば後日、「右肘頭」のようなキーワードで撮影部位を指定して、撮影画像データを検索することが可能となる。
【００３１】
図５は、図４のステップＳ１０２６で付与される撮影情報（メタデータ）の一例を示す図である。図５において、５０１は撮影情報（メタデータ）である。図５に示すように、撮影情報５０１は、「部位」５０２、「撮影指示」５０３、「前回の病歴」５０４、「前回の程度」５０５、及び、患部の状態に関する情報（「Ｓ（主訴）５０６」、「Ｏ（前回診察時との患部の差分）５０７」、「Ａ１（疑わしい病名）５０８」、「Ａ２（程度）５０９」、「Ｐ（治療方針）５１０」）から構成される。
【００３２】
「部位」５０２は、医師による撮影指示から抽出される撮影部位を示す情報である。「前回の病歴」５０４及び「前回の程度」５０５は、以前撮影して取得された撮影情報から流用される情報である。「撮影指示」５０３の要素である｛有，無｝や患部の状態に関する情報５０６〜５１０の各要素は、入力部１３２から適宜選択される情報である。なお、患部の状態に関する情報５０６〜５１０は、一般的なカルテ記載方式であるＳＯＡＰ形式に準拠した入力分類とする。しかし、患者から得られる主訴、撮影者が客観的に見て得られた情報（撮影者所見）、想定される疾患名、治療方針等の患部に関する情報であれば、項目名は限定されない。
【００３３】
図６は、患部情報を入力するためのユーザインタフェースの一例を示す図である。なお、当該インタフェースは、図１の入力部１３２に相当する構成である。図６に示すように、撮影装置１３０には、液晶表示画面６０１や選択ボタン６０２が設けられている。液晶表示画面６０１は、タッチパネル操作で入力したい患部情報を選択することが可能となっている。他にも、選択ボタン６０２を回転させることにより、液晶表示画面６０１上の患部情報の要素名も連動して回転し、選択ボタン６０２が押下されることにより、表示領域１２０３にある要素名を選択することが可能である。
【００３４】
なお、これらのユーザインタフェースにおける項目毎の要素の並びは、固定順のほかに、前回の撮影時に選択された要素を優先的に上位に表示するようにしてもよい。また、先に設定された項目の要素に基づいて、他の項目の要素の並びを適宜変えるようにしてもよい。例えば、主訴の項目５０６で“かゆみ”が選択された場合、疑わしい病名を選択する際の項目５０８の表示順の上位に、“虫さされ”及び“あせも”等を優先的に表示する方法が考えられる。
【００３５】
ステップＳ１０２７において、撮影装置１３０は、全ての撮影部位に対して撮影処理を終了したか否かを判定する。全ての撮影部位に対して撮影処理を終了していない場合、処理はステップＳ１０２３に戻る。そして、撮影装置１３０は、未だ撮影処理を終了していない撮影部位について、ステップＳ１０２３以降の処理を再度行う。一方、全ての撮影部位に対して撮影処理を終了した場合、処理はステップＳ１０２８に移行する。
【００３６】
ステップＳ１０２８において、撮影装置１３０の情報格納制御部１３６は、ステップＳ１０２５の撮影処理で得られた撮影画像データを、撮影者による撮影順ではなく、図３に示す撮影指示に含まれる撮影部位の指示順で、画像管理サーバ装置１２０の画像格納部１２２に格納させる。
【００３７】
図７は、図４のステップＳ１０２２において選択される参照図の一例を示す図である。撮影装置１３０には、複数のシェーマと呼ばれる部分人体図が保持されている。図７に示すように、シェーマには、「全身」７０１や「頭部」７０２のような人体上の表示範囲を示す分類名が付与されており、それぞれの分類名が人体を前面から見たシェーマ名と背面から見たシェーマ名とを保持している。ここでは、分類名として「全身」７０１及び「頭部」７０２だけを示しているが、その他にも、「右前腕」や「右手掌」等、想定される撮影シーンに応じて必要なシェーマが予め用意されている。
【００３８】
図８は、図４のステップＳ１０２２における参照図選択処理に使用されるテーブルを示す図である。なお、図８に示すテーブルは、例えば、撮影装置１３０の記憶部１３１に記憶されている。
【００３９】
分類名８０１は、図７に示す「全身」７０１や「頭部」７０２のように人体上の表示範囲を示している。また、図８のシェーマ名８０３に示すように、分類名８０１それぞれについて、人体の前面から見たシェーマ名と人体の背面から見たシェーマ名とが格納される。
【００４０】
要素８０５は、シェーマ名８０３に該当するシェーマ上に表示される人体上の部位名を格納する。なお、この要素８０５に格納される部位は、必ずしも正確に人体構造上表示可能でなくてもよい。例えば、シェーマ名８０３の「全身前面」に含まれる要素「右肘頭」は、正確には「全身背面」に含まれるべきであるが、撮影時には、図９に示すように、人体の正面から肘を曲げて撮影されることになる。従って、撮影者に対する表示のわかりやすさを優先して、要素「右肘頭」は「全身前面」に配置されている。要素数８０４は、シェーマ名８０３に含まれる要素８０５の数であり、要素数８０２は、分類名８０１に含まれる要素８０５の数である。
【００４１】
図１０は、図４のステップＳ１０２２における参照図選択処理の詳細を示すフローチャートである。なお、図１０に示す処理は、撮影装置１３０内において、ＣＰＵがＲＯＭ等から必要なデータ及びプログラムを実行することにより、実現する処理である。
【００４２】
ステップＳ１０２２１において、撮影装置１３０は、全ての撮影部位を含むシェーマ名８０３を図８に示すテーブルから検索する。なお、ここでいう全ての撮影部位とは、ステップＳ１０２１でロードされた撮影指示に含まれる全ての撮影部位を意味する。ステップＳ１０２２２において、撮影装置１３０は、全ての撮影部位を含むシェーマ名８０３が存在するか否かを判定する。全ての撮影部位を要素８０５に含むシェーマ名８０３が存在する場合、処理はステップＳ１０２２６に移行する。一方、全ての撮影部位を要素８０５に含むシェーマ名８０３が存在しない場合、処理はステップＳ１０２２３に移行する。
【００４３】
ステップＳ１０２２３において、撮影装置１３０は、全ての撮影部位を要素８０５に含む分類名８０１を取得する。ステップＳ１０２２２にて、全ての撮影部位を要素８０５に含むシェーマ名８０３が存在しないと判定されたということは、人体の前面だけ又は背面だけのシェーマでは全ての撮影部位を表示することができないことを意味する。例えば、図３に示す撮影指示の撮影部位｛右肘頭、左肘頭、右殿部、左膝蓋｝について、図８に示すテーブルの要素８０５を検索すると、右殿部は、人体の背面を示すシェーマにしか存在せず、右肘頭及び左肘頭は、人体の前面を示すシェーマにしか存在しない。即ち、全ての撮影部位を含むシェーマは存在しない。従って、全身前面及び全身背面のシェーマのペアを持つ分類名８０１に対して検索範囲が広げられる。
【００４４】
ステップＳ１０２２４において、撮影装置１３０は、ステップＳ１０２２３で取得した分類名８０１が複数存在した場合、図８に示す要素数８０２を参照して、最も小さい要素数を持つ分類名８０１を取得する。これは、全ての撮影指示を表示することができる最小のシェーマを取得することを意味する。図８の例では、図３に示す撮影指示に含まれる撮影部位｛右肘頭、左肘頭、右殿部、左膝蓋｝を全て含む分類名８０１は「全身」しか存在しないため、「全身」の分類名８０１が取得される。
【００４５】
ステップＳ１０２２５において、撮影装置１３０は、ステップＳ１０２２４で取得した分類名８０１に含まれるシェーマを参照図として取得する。図８の例では、シェーマ名８０３が「全身前面」及び「全身背面」に該当するシェーマが参照図として取得される。
【００４６】
ステップＳ１０２２６において、撮影装置１３０は、全ての撮影部位を要素８０５に含むシェーマ名８０３を取得する。例えば、撮影指示に含まれる撮影部位が｛前頭，右頬｝であった場合、撮影装置１３０は、図８に示す要素８０５を検索して、全ての撮影部位を要素８０５に含むシェーマ名「全身前面」とシェーマ名「頭部前面」とを取得する。
【００４７】
ステップＳ１０２２７において、撮影装置１３０は、ステップＳ１０２２６で取得したシェーマ名８０３のうち、図８に示す要素数８０４が最も小さいシェーマ名８０３を取得する。上述した例では、シェーマ名「全身前面」の要素数８０４とシェーマ名「頭部前面」の要素数８０４とを比較し、要素数８０４が少ないシェーマ名「頭部前面」が取得される。
【００４８】
ステップＳ１０２２８において、撮影装置１３０は、ステップＳ１０２２７で取得したシェーマ名８０３に該当するシェーマを取得する。これにより、撮影部位を全て含み、且つ、最も細部を表示可能なシェーマが参照図として取得される。
【００４９】
図１１は、図４のステップＳ１０２３において撮影指示に含まれる全ての撮影部位が表示されるユーザインタフェースの一例を示す図である。図１１の例では、撮影装置１３０には、液晶表示画面１１０１や撮影ボタン１１０２が設けられている。液晶表示画面１１０１では、タッチパネル操作が可能である。また、液晶表示画面１１０１には、以下の１１０３乃至１１０５の表示領域が設けられている。
【００５０】
１１０３は、現在の画面が撮影部位を示す画面であることを表示するための表示領域である。１１０４は、図１０に示す処理で取得された参照図（シェーマ）を表示するための領域である。例えば、図３に示す撮影指示に対し、図１０に示す処理でシェーマ名「全身前面」に該当するシェーマとシェーマ名「全身背面」に該当するシェーマとが取得された場合、これらは参照図として表示領域１１０４に表示される。１１０５は、表示領域１１０４に表示されたシェーマ上に撮影部位を表示するための表示領域である。例えば、撮影装置１３０は、複数のシェーマセットを記憶部１３１に記憶させておくとともに、各シェーマセットに含まれる各シェーマ上の座標及び部位の組み合わせをインデックスとして記憶部１３１に記憶させておく。そして、撮影装置１３０は、記憶部１３１から該当するシェーマのインデックスを参照することにより、当該シェーマ上に撮影部位をマーキングする。これにより、表示領域１１０５が表示される。撮影者が表示領域１１０５（撮影部位名のテキスト又はマーキング部分）をタッチすると、撮影装置１３０は、図９に示すような、選択された撮影部位の撮影画面を表示する。
【００５１】
図９は、図４のステップＳ１０２４においてライブビュー画像データが表示されるユーザインタフェースの一例を示す図である。図９において、撮影装置１３０には、液晶表示画面９０１や撮影ボタン９０２が設けられている。液晶表示画面９０１は、レンズを通して見える映像をライブビュー画像データとして表示しており、タッチパネル操作で入力が可能となっている。撮影者が撮影ボタン９０２を押下すると、撮影装置１３０は、レンズから取り込んだ被写体（撮影対象患者）の光学像を電子的な撮影画像データに変換する撮影処理を行う。
【００５２】
液晶表示画面９０１には、以下の９０３乃至９０５の表示領域が設けられている。９０３は、撮影者が次に撮影すべき撮影部位を表示するための表示領域であり、図１１における表示領域１１０５から選択された撮影部位が表示される。９０４は、表示領域９０３に示された撮影部位に対応する撮影指示を、図１１の表示領域１１０４に表示されたシェーマ上に図示して表示するための表示領域である。なお、表示領域９０３及び９０４の何れか一方を表示するようにしてもよい。９０５は、全ての撮影部位のうち、現在、何番目の撮影部位に対応する撮影処理を行っているのかを表示するための表示領域である。撮影ボタン９０２が押下され、指示された撮影部位が撮影される度に、表示領域９０５に表示される撮影済み枚数がカウントアップされる。
【００５３】
図１２は、図４のステップＳ１０２４においてライブビュー画像データが表示されるユーザインタフェースの他の例を示す図である。図１２において、表示領域１２０１、撮影ボタン１２０２、表示領域１２０３及び表示領域１２０５は夫々、図９の表示領域９０１、撮影ボタン９０２、表示領域９０３及び表示領域９０５と同様である。
【００５４】
１２０４は、表示領域１２０３に表示される撮影部位と同様の撮影部位を持つ撮影画像データを表示するための表示領域である。表示領域１２０４において表示される撮影画像データは、図４のステップＳ１０２２の参照図取得処理において、画像管理サーバ装置１２０の画像格納部１２２から、表示領域１２０３に表示された撮影部位をキーワードとして検索され、その検索結果から選択するようにしてもよい。例えば、訪問看護のように定期的に同一人物を撮影する場合、同一患者の前回の撮影処理における同一撮影部位の撮影画像データを表示するようにしてもよい。
【００５５】
以下、図２のステップＳ１０３における撮影画像データ表示処理について詳細に説明する。撮影画像データ表示処理時における表示部１１２の制御は、表示制御部１１３によって行われる。表示部１１２では、画像管理サーバ装置１２０の患部情報格納部１２３から取得された患部情報に基づき、患者名や患部を強調して撮影画像データを表示することにより、医師に対してこれらの優先的な閲覧を促す。また、表示制御部１１３は、画像管理サーバ装置１２０の患部情報格納部１２３から取得した患部情報に基づき、患者一覧を表示するための制御や、画像格納部１２２に格納された撮影画像データの表示順の制御を行う。
【００５６】
さらに、表示制御部１１３は、撮影画像データに関連付けられた患部情報の閲覧優先度を管理するためのテーブルを備える。患者名一覧表示時や患者個人の詳細情報表示時の際には、この閲覧優先度のテーブルに基づいて、患者毎に撮影画像データに対する重み付けが行われる。なお、患者毎の閲覧優先度の重み付けには、過去数日以内に更新があった患部画像データの閲覧優先度の平均値又は合計値が用いられる。
【００５７】
図１３（ａ）は、上述した閲覧優先度を管理するためのテーブル（以下、閲覧優先度管理テーブルと称す）の一例を示している。このテーブルは、医師の撮影指示以外の部位に関して何らかの症状が発生した個所や、医師の撮影指示があったが患部の状態が急変した個所について、優先的に医師に閲覧を促す意図に基づいて設計されている。
【００５８】
図１４（ａ）は、図１３（ａ）に示す閲覧優先度管理テーブルに基づき、表示部１１２に患者名一覧を表示した例を示している。患者名は、患者ＩＤの昇順で表示されているが、これら表示されている患者のうち、閲覧優先度が最も高いと判断された患者ＩＤ“００３”、患者名“木村太郎”にポップアップ表示１４０１が行われ、医師に他の患者よりも優先して閲覧するように促される。
【００５９】
図１４（ｂ）も同じく、図１３（ａ）に示す閲覧優先度管理テーブルに基づき、表示部１１２に患者名一覧を表示させた他の例を示している。ここでは、各患者の閲覧優先度の昇順で患者名一覧が表示される。この例では、閲覧優先度が最も高いと判断された患者ＩＤ“００３”、患者名“木村太郎”が患者名最上位の１４０２に表示され、医師に他の患者よりも優先して閲覧するように促される。また、各患者の名前の近傍に、その患者の最新の撮影日に撮影された患部画像データのうち、最も閲覧優先度の高い患部画像データをサムネイル画像データ１４０３として表示させてもよい。他にも、さらに規定の閲覧優先度を超えた患者は、他の患者と異なる色で表示させたり、表示する文字を大きくする等、医師の注意を引く表示に変更してもよい。
【００６０】
図１４（ｃ）は、表示部１１２に患者の詳細情報を表示させた例を示している。患者の詳細情報は、患者名一覧の表示画面から患者名を選択すると、遷移して表示される。１４０４には、その患者の最も閲覧優先度の高い撮影画像データが表示される。また、１４０５には、患者情報、及び、最も閲覧優先度の高い撮影画像データに関連付けられた患部情報が表示される。
【００６１】
以上、本実施形態によれば、撮影装置１３０により撮影対象患者が撮影されると、医師の撮影指示の有無や患部の状態等の情報も併せて撮影画像データに付与される。そして、上述した閲覧優先度管理テーブルに基づいて、医師による撮影指示に含まれない撮影部位に関し、何らかの症状が発生した個所や、医師による撮影指示に含まれるが患部の状態が急変した撮影部位について、医師に対して優先的に閲覧を促すことができる。これにより、患部の状態を撮影者から医師に対して確実にフィードバックすることが可能となる。
【００６２】
次に、本発明の第２の実施形態について説明する。なお、以下では、第１の実施形態と同様の内容については説明を省略し、第１の実施形態の内容と異なる部分について説明を行うものとする。
【００６３】
第１の実施形態では、表示制御部１１３が備える閲覧優先度管理テーブルは、医師の撮影指示以外の部位に関して何らかの症状が発生した個所や、医師の撮影指示があったが患部の状態が急変した個所について、優先的に医師に閲覧を促す意図に基づいて設計されている。その他、患部の病名や医師の専門に応じて、撮影画像データの閲覧優先度を決定してもよい。例えば、高齢者介護では、床ずれは一度発症し、重症化すると完治が難しいため、発症初期段階での治療とその後の予防処置とが重要とされている。このため、図１３（ｂ）に示す閲覧優先度管理テーブルでは、疑わしき病名が床ずれである場合、医師の撮影指示外であれば、患部の状態が軽度であっても、閲覧優先度を高くする意図で設計されている。
【００６４】
また、医師の専門によっても医師に優先的に閲覧を促したい条件は変わってくる。例えば、リハビリテーションを専門とする医師は、患部の好転に合わせてリハビリテーションのプログラムの変更を指示する必要がある。このため、撮影者は患部の状態が好転したケースを優先し、医師に患部画像の閲覧を促したいケースが想定される。従って、医師毎に閲覧優先度管理テーブルを用意し、表示内容を変更してもよい。
【００６５】
図１５（ａ）は、好転を優先的に表示した意図で設計された閲覧優先度管理テーブルを使用し、医師Ａの患者名表示状態において、表示された患者の患部の状態が悪化した旨を意図するポップアップを表示した例を示している。図１５（ｂ）は、悪化を優先的に表示したい意図で設計された閲覧優先度管理テーブルを使用し、医師Ｂの患者名一覧表示状態において、表示された患者の患部の状態が好転した旨を意図するポップアップを表示した例を示している。
【００６６】
図１５（ｃ）は、好転を優先的に表示したい意図で設計された閲覧優先度管理テーブルと、悪化を優先的に表示したい意図で設計された閲覧優先度管理テーブルとを同時に使用し、それぞれのテーブルで閲覧優先度が高いと判定された患者名の脇にポップアップを表示した例を示している。これにより、患部の病名や医師の専門に応じて、患部の状態を撮影者から医師へ確実にフィードバックすることができる。
【００６７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６８】
１００：撮影処理システム、１１０：クライアント装置、１１１：撮影指示入力部、１１２：表示部、１１３：表示制御部、１２０：画像管理サーバ装置、１２１：撮影指示格納部、１２２：画像格納部、１２３：患部情報格納部、１３０：撮影装置、１３１：記憶部、１３２：入力部、１３３：撮影指示並び換え部、１３４：撮影部、１３５：表示部、１３６：情報格納制御部、１４０：有線ネットワーク、１５０：無線ネットワーク
【図１】
2014144215.tif 000003
【図２】
2014144215.tif 000004
【図３】
2014144215.tif 000005
【図４】
2014144215.tif 000006
【図５】
2014144215.tif 000007
【図６】
2014144215.tif 000008
【図７】
2014144215.tif 000009
【図８】
2014144215.tif 000010
【図９】
2014144215.tif 000011
【図１０】
2014144215.tif 000012
【図１１】
2014144215.tif 000013
【図１２】
2014144215.tif 000014
【図１３】
2014144215.tif 000015
【図１４】
2014144215.tif 000016
【図１５】
2014144215.tif 000017